(57)【要約】【課題】灯具より低い位置に取り付けられたセンサ器具により、周囲の状況変化に応じて、照明装置全体の明るさを適度にコントロールする。【解決手段】支柱１１の灯具１２より低い位置に取り付けられるセンサ器具１３は、人感センサで物体の移動が検知された場合、灯具１２のＬＥＤモジュール１４ａ〜１４ｄ、及び、センサ器具１３のＬＥＤモジュール１４ｇ〜１４ｊの全てを点灯させる。人感センサで物体の移動が検知されない場合、灯具１２のＬＥＤモジュール１４ａ〜１４ｄのうち３個、及び、センサ器具１３のＬＥＤモジュール１４ｇ〜１４ｊのうち１個のみを点灯させる。また、センサ器具１３は、照度センサで検知された明るさが所定の明るさ未満の場合、人感センサを動作させ、所定の明るさ以上の場合、人感センサの動作を停止させるとともにＬＥＤモジュール１４ａ〜１４ｄ，１４ｇ〜１４ｊの全てを消灯させる。【選択図】図２
2012022781.tif 000002
【特許請求の範囲】
【請求項１】
光を照射する複数の第１ＬＥＤを具備し、地上に立設される支柱に取り付けられる灯具と、
光を照射する複数の第２ＬＥＤと物体の移動を検知する第１センサとを具備し、前記支柱の前記灯具より低い位置に取り付けられるセンサ器具と、
前記複数の第１ＬＥＤと前記複数の第２ＬＥＤとの点灯状態を制御する制御装置であって、前記第１センサで物体の移動が検知された場合、前記複数の第２ＬＥＤに照射させる光全体の光束を前記第１センサで物体の移動が検知されない場合より大きい光束に制御する制御装置と
を備えることを特徴とする照明装置。
【請求項２】
前記制御装置は、前記第１センサで物体の移動が検知された場合、前記複数の第１ＬＥＤに照射させる光全体の光束を前記第１センサで物体の移動が検知されない場合より大きい光束に制御する請求項１の照明装置。
【請求項３】
前記制御装置は、前記第１センサで物体の移動が検知された場合、前記複数の第２ＬＥＤの全てを点灯させ、前記第１センサで物体の移動が検知されない場合、前記複数の第２ＬＥＤの少なくとも一部を消灯させる請求項１又は２の照明装置。
【請求項４】
光を照射する複数の第１ＬＥＤを具備し、地上に立設される支柱に取り付けられる灯具と、
物体の移動を検知する第１センサを具備し、前記支柱の前記灯具より低い位置に取り付けられるセンサ器具と、
前記複数の第１ＬＥＤの点灯状態を制御する制御装置であって、前記第１センサで物体の移動が検知された場合、前記複数の第１ＬＥＤに照射させる光全体の光束を前記第１センサで物体の移動が検知されない場合より大きい光束に制御する制御装置と
を備えることを特徴とする照明装置。
【請求項５】
前記制御装置は、前記第１センサで物体の移動が検知された場合、前記複数の第１ＬＥＤの全てを点灯させ、前記第１センサで物体の移動が検知されない場合、前記複数の第１ＬＥＤの一部を消灯させる請求項２又は４の照明装置。
【請求項６】
前記センサ器具は、明るさを検知する第２センサを具備し、
前記制御装置は、前記第２センサで検知された明るさが所定の明るさ未満の場合、前記第１センサを動作させ、前記第２センサで検知された明るさが前記所定の明るさ以上の場合、前記第１センサの動作を停止させるとともに前記複数の第１ＬＥＤの全てを消灯させる
請求項１から５のいずれかの照明装置。
【発明の詳細な説明】
【技術分野】
【０００１】
本発明は、照明装置に関するものである。本発明は、特に、センサ付街路灯照明装置に関するものである。
【背景技術】
【０００２】
照明器具を支柱の上部に保持する街路灯がある（例えば、特許文献１，２参照）。
【先行技術文献】
【特許文献】
【０００３】
【特許文献１】特開２００３−３０８９８６号公報
【特許文献２】特開２００２−２３１０４７号公報
【発明の概要】
【発明が解決しようとする課題】
【０００４】
夜間の屋外照明において、照明の出力は一定で使用されており、使用状態に合わせた照度のコントロールができない。そのため、必要以上の照度及びエネルギーを消費するという課題があった。
【０００５】
本発明は、例えば、灯具より低い位置に取り付けられたセンサ器具により、周囲の状況変化に応じて、照明装置全体の明るさを適度にコントロールすることを目的とする。
【課題を解決するための手段】
【０００６】
本発明の一の態様に係る照明装置は、
光を照射する複数の第１ＬＥＤを具備し、地上に立設される支柱に取り付けられる灯具と、
光を照射する複数の第２ＬＥＤと物体の移動を検知する第１センサとを具備し、前記支柱の前記灯具より低い位置に取り付けられるセンサ器具と、
前記複数の第１ＬＥＤと前記複数の第２ＬＥＤとの点灯状態を制御する制御装置であって、前記第１センサで物体の移動が検知された場合、前記複数の第２ＬＥＤに照射させる光全体の光束を前記第１センサで物体の移動が検知されない場合より大きい光束に制御する制御装置とを備えることを特徴とする。
【発明の効果】
【０００７】
本発明の一の態様によれば、灯具より低い位置に取り付けられたセンサ器具により、周囲の状況変化に応じて、照明装置全体の明るさを適度にコントロールすることが可能となる。
【図面の簡単な説明】
【０００８】
【図１】実施の形態１に係る（ａ）街路灯の外形側面図、（ｂ）街路灯の灯具の外形斜視図、（ｃ）街路灯のセンサ器具の外形斜視図、（ｄ）ＬＥＤモジュールの斜視図。
【図２】実施の形態２に係る（ａ）街路灯の外形側面図、（ｂ）街路灯の灯具の外形斜視図、（ｃ）街路灯のセンサ器具の外形斜視図。
【発明を実施するための形態】
【０００９】
以下、本発明の実施の形態について、図を用いて説明する。
【００１０】
実施の形態１．
図１（ａ）は、本実施の形態に係る街路灯１０の外形側面図である。
【００１１】
図１（ａ）において、街路灯１０（照明装置の例）は、地上に立設される支柱１１と、支柱１１（例えば、その最上部）に取り付けられる灯具１２と、支柱１１の灯具１２より低い位置に取り付けられるセンサ器具１３とを備える。また、街路灯１０は、例えばセンサ器具１３の内部に不図示の制御装置（例えば、マイクロコンピュータ）を備える。
【００１２】
図１（ｂ）は、街路灯１０の灯具１２の外形斜視図である。
【００１３】
図１（ｂ）において、灯具１２は、内部に取り付けられる６つのＬＥＤモジュール１４ａ〜１４ｆ（光を照射する複数の第１ＬＥＤの例）と、ＬＥＤモジュール１４ａ〜１４ｆに電力を供給する不図示の点灯装置とを具備する。なお、灯具１２に搭載されるＬＥＤモジュール１４ａ〜１４ｆの数は、５つ以下でもよいし、７つ以上でもよい。また、本実施の形態では、略直線状のＬＥＤモジュール１４ａ〜１４ｆを並列に配置しているが、大きさの異なるリング状のＬＥＤモジュール１４ａ〜１４ｆを略中心から小さい順に配置してもよいし、他の形状のＬＥＤモジュール１４ａ〜１４ｆを他の形態で配置しても構わない。
【００１４】
図１（ｃ）は、街路灯１０のセンサ器具１３の外形斜視図である。
【００１５】
図１（ｃ）において、センサ器具１３は、明るさを検出する照度センサ（明るさを検知する第２センサの例）と、人の存在を検出する人感センサ（物体の移動を検知する第１センサの例）とからなるセンサ１５を具備する。人感センサは、例えば、熱源の移動を検出するものであり、人以外の熱源（例えば自動車等の車両）の移動も検知することができる。前述したように、センサ器具１３には、制御装置も内蔵されている。制御装置は、灯具１２のＬＥＤモジュール１４ａ〜１４ｆの点灯状態を制御する。また、制御装置は、時間を計測するタイマ回路を有する。
【００１６】
図１（ｄ）は、ＬＥＤモジュール１４ａの斜視図である。
【００１７】
図１（ｄ）において、ＬＥＤモジュール１４ａは、基板１６と、基板１６に実装される６個のＬＥＤ１７とを備える。ＬＥＤモジュール１４ｂ〜１４ｆの構成については、ＬＥＤモジュール１４ａの構成と同じである。なお、基板１６に実装されるＬＥＤ１７の数は、５個以下でもよいし、７個以上でもよい。
【００１８】
灯具１２とセンサ器具１３とは、支柱１１に内蔵された信号線で繋がっている。この信号線を介して、センサ器具１３のセンサ１５が検知した明るさや熱源の移動についての情報が灯具１２の内部の点灯装置に伝えられる。点灯装置は、この情報に基づいて、ＬＥＤモジュール１４ａ〜１４ｆに供給する電力を調整し、ＬＥＤ１７の点灯状態を制御する。
【００１９】
次に、本実施の形態における街路灯１０の動作について説明する。
【００２０】
まず、センサ器具１３（制御装置）は、照度センサにより、外部の明るさを検出する。
【００２１】
センサ器具１３（制御装置）は、例えば、昼間等、外部の明るさが所定の明るさ以上のときは、灯具１２（点灯装置）にＬＥＤモジュール１４ａ〜１４ｆを消灯させる消灯信号を出力する。灯具１２（点灯装置）は、この消灯信号に従って、ＬＥＤモジュール１４ａ〜１４ｆを消灯させる。このとき、ＬＥＤモジュール１４ａ〜１４ｆが消灯しているので、人感センサを動作させる必要はない。よって、センサ器具１３（制御装置）は、人感センサの動作を停止させておく。
【００２２】
また、センサ器具１３（制御装置）は、例えば、夜間等、外部の明るさが所定の明るさ未満のときは、灯具（点灯装置）にＬＥＤを点灯させる点灯信号を出力する。灯具１２（点灯装置）は、この点灯信号に従って、ＬＥＤモジュール１４ａ〜１４ｆを点灯させる。このとき、センサ器具１３（制御装置）は、人感センサの動作を開始させる。
【００２３】
次に、センサ器具１３（制御装置）が灯具１２（点灯装置）に点灯信号を送信しているときの動作について説明する。
【００２４】
センサ器具１３（制御装置）は、人感センサが人や車両等の熱源の移動を検知すると、灯具１２（点灯装置）に全点灯を指示する検知信号を出力する。灯具１２（点灯装置）は、この検知信号を入力すると、ＬＥＤモジュール１４ａ〜１４ｆを点灯させる。
【００２５】
次に、人感センサが、人や車両等の熱源の移動を検知しなくなると、検知しなくなってからの時間をセンサ器具１３（制御装置）の内部のタイマ回路がカウントする。
【００２６】
このタイマ回路がカウントする時間が所定時間経過（例えば、人感センサが人や車両を検知しない状態が１分間継続）すると、センサ器具１３（制御装置）は、灯具１２（点灯装置）に不在信号を出力する。灯具１２（点灯装置）は、この不在信号を入力し、ＬＥＤモジュール１４ｂ，１４ｄ，１４ｆを消灯させる。このとき、灯具１２（点灯装置）は、ＬＥＤモジュール１４ａ，１４ｃ，１４ｅについては点灯した状態を維持する。
【００２７】
センサ器具１３（制御装置）が不在信号を出力している間、又は、タイマ回路が時間をカウントしている間に、再び人感センサが人や車両を検知すると、センサ器具１３（制御装置）は、灯具１２（点灯装置）に全点灯信号を出力する。
【００２８】
上記のように、センサ器具１３に内蔵される制御装置は、人感センサで物体の移動が検知された場合、灯具１２のＬＥＤモジュール１４ａ〜１４ｆに照射させる光全体の光束を人感センサで物体の移動が検知されない場合より大きい光束に制御する。例えば、制御装置は、人感センサで物体の移動が検知された場合、ＬＥＤモジュール１４ａ〜１４ｆの全てを点灯させ、人感センサで物体の移動が検知されない場合、ＬＥＤモジュール１４ａ〜１４ｆの一部（例えば、ＬＥＤモジュール１４ｂ，１４ｄ，１４ｆ）を消灯させる。なお、制御装置は、人感センサで物体の移動が検知された場合、ＬＥＤモジュール１４ａ〜１４ｆの全てを１００％の光束（第１光束の例）で点灯させ、人感センサで物体の移動が検知されない場合、ＬＥＤモジュール１４ａ〜１４ｆの全てを５０％の光束（第１光束より小さい第２光束の例）で点灯させてもよい。
【００２９】
また、制御装置は、照度センサで検知された明るさが所定の明るさ（例えば、制御装置のメモリに予め記憶された閾値）未満の場合、人感センサを動作させ、照度センサで検知された明るさが上記所定の明るさ以上の場合、人感センサの動作を停止させるとともにＬＥＤモジュール１４ａ〜１４ｆの全てを消灯させる。
【００３０】
このように、本実施の形態では、街路灯１０の灯具１２に複数個搭載されたＬＥＤモジュール１４ａ〜１４ｆの点灯数を、必要に応じて切り替える。例えば、使用環境において人、物が存在することを人感センサが検出した場合、ＬＥＤモジュール１４ａ〜１４ｆの全てを点灯させる。一方、人、物が存在しないときは、ＬＥＤモジュール１４ａ〜１４ｆのうち一部のみを点灯させる。
【００３１】
例えば、商業施設の駐車場等で、人、物がなく、車両が停車している状態では、街路灯１０の灯具１２が保安に必要な最小限の照度レベルにあわせたＬＥＤモジュール数で点灯する。人、車両が動いた状態を人感センサで検出すると、検出場所の街路灯１０の灯具１２で点灯するＬＥＤモジュール数を増やし、照度を上げる。人、車両等の動きがなくなったことを検出したら、再び保安に必要な最小限の照度レベルにあわせたＬＥＤモジュール数での点灯状態に切り替える。このとき、最後のセンサ検出（人感センサが熱源の移動を検出することをいう）時より１分程度経過してから、点灯動作を切り替えることが望ましい。
【００３２】
センサ検出により切り替えて点灯させるＬＥＤモジュールは、例えば図１（ｂ）に示したように、灯具１２に６個平行に配置する。センサ検出時は、全てのＬＥＤモジュール１４ａ〜１４ｆを点灯させ、未検出（人感センサが熱源の移動を検出していないことをいう）時は、ＬＥＤモジュール１４ａ，１４ｃ，１４ｅのみ点灯させる。あるいは、センサ検出時は、全てのＬＥＤモジュール１４ａ〜１４ｆを点灯させ、未検出時は、ＬＥＤモジュール１４ａ，１４ｆのみ点灯させるといった使用ができる。
【００３３】
以上説明したように、本実施の形態では、光源にＬＥＤを使用し、ＬＥＤを搭載したＬＥＤモジュールを複数個搭載した照明器具に、センサを取り付け、必要なときに必要な照度を得られるよう、ＬＥＤモジュールごとに点灯状態を制御することにより、省エネ効果を得ることができる。また、必要ないときは照度を下げることができるため、光害を少なくする効果がある。また、大型駐車場等で使用すれば、遠くからでも、センサにて人、車両等の動きがある場所がある程度確認できるため、車上荒らし等の防犯効果が得られる。
【００３４】
実施の形態２．
本実施の形態について、主に実施の形態１との差異を説明する。
【００３５】
図２（ａ）は、本実施の形態に係る街路灯１０の外形側面図である。図２（ｂ）は、街路灯１０の灯具１２の外形斜視図である。図２（ｃ）は、街路灯１０のセンサ器具１３の外形斜視図である。
【００３６】
図２（ａ）において、街路灯１０の構成は、実施の形態１と同様である。
【００３７】
実施の形態１では、灯具１２に搭載した複数個のＬＥＤモジュール１４ａ〜１４ｆの点灯数を、センサ１５の検出状態に応じて切り替えたが、本実施の形態では、図２（ｃ）に示したように、センサ器具１３も複数個のＬＥＤモジュール１４ｇ〜１４ｊを搭載し、センサ検出時と未検出時のＬＥＤモジュール点灯数を任意で設定可能とする。
【００３８】
例えば、図２（ｂ）に示したように、灯具１２にはＬＥＤモジュール１４ａ〜１４ｄ（光を照射する複数の第１ＬＥＤの例）を４個搭載し、図２（ｃ）に示したように、センサ器具１３にもＬＥＤモジュール１４ｇ〜１４ｊ（光を照射する複数の第２ＬＥＤの例）を４個搭載する。ＬＥＤモジュール１４ａ〜１４ｄ，１４ｇ〜１４ｊの構成については、図１（ｄ）に示したＬＥＤモジュール１４ａの構成と同じである。
【００３９】
本実施の形態において、センサ器具１３に内蔵される制御装置は、灯具１２のＬＥＤモジュール１４ａ〜１４ｄだけでなく、センサ器具１３のＬＥＤモジュール１４ｇ〜１４ｊの点灯状態も制御する。
【００４０】
制御装置は、人感センサで物体の移動が検知された場合、センサ器具１３のＬＥＤモジュール１４ｇ〜１４ｊに照射させる光全体の光束を人感センサで物体の移動が検知されない場合より大きい光束に制御する。例えば、制御装置は、人感センサで物体の移動が検知された場合、センサ器具１３のＬＥＤモジュール１４ｇ〜１４ｊの全てを点灯させ、人感センサで物体の移動が検知されない場合、センサ器具１３のＬＥＤモジュール１４ｇ〜１４ｊの少なくとも一部（例えば、全部、あるいは、ＬＥＤモジュール１４ｈ，１４ｊ）を消灯させる。なお、制御装置は、人感センサで物体の移動が検知された場合、ＬＥＤモジュール１４ｇ〜１４ｊの全てを１００％の光束（第３光束の例）で点灯させ、人感センサで物体の移動が検知されない場合、ＬＥＤモジュール１４ｇ〜１４ｊの全てを５０％の光束（第３光束より小さい第４光束の例）で点灯させてもよい。
【００４１】
制御装置は、人感センサで物体の移動が検知された場合も検知されない場合も、灯具１２のＬＥＤモジュール１４ａ〜１４ｄの全てを点灯させておく。あるいは、制御装置は、人感センサで物体の移動が検知された場合、実施の形態１と同様に、灯具１２のＬＥＤモジュール１４ａ〜１４ｄに照射させる光全体の光束を人感センサで物体の移動が検知されない場合より大きい光束に制御する。例えば、制御装置は、人感センサで物体の移動が検知された場合、ＬＥＤモジュール１４ａ〜１４ｄの全てを点灯させ、人感センサで物体の移動が検知されない場合、ＬＥＤモジュール１４ａ〜１４ｄの一部（例えば、ＬＥＤモジュール１４ｂ，１４ｄ）を消灯させる。なお、制御装置は、人感センサで物体の移動が検知された場合、ＬＥＤモジュール１４ａ〜１４ｄの全てを１００％の光束（第１光束の例）で点灯させ、人感センサで物体の移動が検知されない場合、ＬＥＤモジュール１４ａ〜１４ｄの全てを５０％の光束（第１光束より小さい第２光束の例）で点灯させてもよい。
【００４２】
また、制御装置は、照度センサで検知された明るさが所定の明るさ（例えば、制御装置のメモリに予め記憶された閾値）未満の場合、人感センサを動作させ、照度センサで検知された明るさが上記所定の明るさ以上の場合、人感センサの動作を停止させるとともにＬＥＤモジュール１４ａ〜１４ｄ，１４ｇ〜１４ｊの全てを消灯させる。なお、制御装置は、例えばメモリに予め記憶され上記所定の明るさを示す閾値を、ＬＥＤモジュール１４ａ〜１４ｄ，１４ｇ〜１４ｊの点灯状態に応じて調整してもよい。この場合、制御装置は、ＬＥＤモジュール１４ｇ〜１４ｊ（又はＬＥＤモジュール１４ａ〜１４ｄ，１４ｇ〜１４ｊ）の中で、点灯しているＬＥＤモジュールの数が多い場合や点灯しているＬＥＤモジュールの調光度（光束）が高い場合に、閾値を大きい値に設定する。逆の場合には、閾値を小さい値に設定する。したがって、例えば、ＬＥＤモジュール１４ｇ〜１４ｊの全てが点灯している場合の閾値はＬＥＤモジュール１４ｂ，１４ｄのみが点灯している場合の閾値より大きい値になる。このように上記所定の明るさを示す閾値を調整することで、灯具１２やセンサ器具１３自体により得られる明るさを照度センサで検知したい場合に、誤ってＬＥＤモジュール１４ａ〜１４ｄ，１４ｇ〜１４ｊを消灯させることを防ぐことができる。
【００４３】
このように、本実施の形態では、センサ未検出時は、より広範囲を照らすため、例えば点灯ＬＥＤモジュール数は、灯具１２で３個、センサ器具１３で１個とし、センサ検出時は全てのＬＥＤモジュール１４ａ〜１４ｄ，１４ｇ〜１４ｊを点灯させる、といった使用が可能である。このとき、センサ器具１３は灯具１２よりも低い位置に設置されているため、センサ検出時は、より街路灯１０の設置箇所付近を明るくすることができる。
【００４４】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００４５】
１０  街路灯、１１  支柱、１２  灯具、１３  センサ器具、１４ａ〜１４ｊ  ＬＥＤモジュール、１５  センサ、１６  基板、１７  ＬＥＤ。
【図１】
2012022781.tif 000003
【図２】
2012022781.tif 000004